(57)【要約】      （修正有）【課題】名刺に付加価値を与え、名刺の二次的利用を促すことにより、携帯電話機を利用した情報の提供を効果的なものとする。【解決手段】本発明の情報送信方法は、情報送信システム１００に対し、携帯電話機２００からアクセスするためのメールアドレスと、該メールアドレスを送信先に設定した電子メールを送信することにより応募フォームを含む情報のＵＲＬを取得できる、前記情報送信システム１００にアクセスを促すための懸賞情報とが表示された名刺４００を利用者に配布し、該利用者が携帯電話機２００を用いて前記メールアドレスを送信先に設定した電子メールを送信したならば、前記情報送信システム１００により、前記携帯電話機２００から受信した電子メールの発信元メールアドレスを送信先として、前記情報のＵＲＬが書き込まれた電子メールを返信することを特徴とする。【選択図】図１
2004310453.tif 000002
【特許請求の範囲】
【請求項１】
利用者の携帯電話機を利用して予め登録された情報を提供する情報送信システムであって、
前記携帯電話機から受信した電子メールの発信元メールアドレスを送信先として、前記情報のＵＲＬが書き込まれた電子メールを返信するＵＲＬ送信手段を具備することを特徴とする情報送信システム。
【請求項２】
前記ＵＲＬ送信手段により送信されたＵＲＬに基づく前記携帯電話機からのアクセスに対応して、前記携帯電話機に対し、利用者の個人情報の入力を促す情報を含む情報を送信する情報送信手段と、前記携帯電話機から受信した前記情報送信手段により送信された利用者の個人情報の入力を促す情報に従って入力された利用者の個人情報に基づいてデータベースを作成するデータベース作成手段とを具備することを特徴とする請求項１に記載の情報送信システム。
【請求項３】
前記情報送信手段により送信される利用者の個人情報の入力を促す情報が懸賞の応募フォームであることを特徴とする請求項２に記載の情報送信システム。
【請求項４】
前記情報の提供者の端末装置からの要求に応じて、該端末装置に対し、前記データベース作成手段により作成されたデータベース上のデータを送信するデータ送信手段を具備することを特徴とする請求項２又は３に記載の情報送信システム。
【請求項５】
利用者の携帯電話機を利用して予め登録された情報を提供する情報送信システムを用いた情報送信方法であって、
前記情報送信システムに対し、前記携帯電話機からアクセスするためのメールアドレスと、該メールアドレスを送信先に設定した電子メールを送信することにより応募フォームを含む情報のＵＲＬを取得できる、前記情報送信システムにアクセスを促すための懸賞情報とが表示された名刺を利用者に配布し、該利用者が携帯電話機を用いて前記メールアドレスを送信先に設定した電子メールを送信したならば、前記情報送信システムにより、前記携帯電話機から受信した電子メールの発信元メールアドレスを送信先として、前記情報のＵＲＬが書き込まれた電子メールを返信することを特徴とする情報送信方法。
【請求項６】
前記情報送信システムから送信されたＵＲＬに基づく前記携帯電話機からのアクセスに対応して、前記情報送信システムにより、前記携帯電話機に対し、懸賞の応募フォームを含む情報を送信して利用者の個人情報の入力を促すと共に、前記携帯電話機から前記情報送信システムに対して前記応募フォームに従って入力された利用者の個人情報が送信されたならば、前記情報送信システムにより、受信した利用者の個人情報に基づいてデータベースを作成することを特徴とする請求項５に記載の情報送信方法。
【請求項７】
前記情報送信システムは、前記情報の提供者の端末装置からの要求に応じて、該端末装置に対し、前記データベース上のデータを送信することを特徴とする請求項６に記載の情報送信方法。
【発明の詳細な説明】
【０００１】
【発明の属する技術分野】
本発明は、利用者の携帯電話機を利用して予め登録された情報を提供する情報送信システム及び情報送信方法に関する。より詳細には、情報提供者から供給された情報を予め登録しておき、その情報を通信網を介して接続された利用者の携帯電話機からの要求に応じて送信することができる情報送信システム及び該情報送信システムを用いた情報送信方法に関する。
【０００２】
【従来の技術】
インターネットの普及に伴ってインターネット接続環境を持つ携帯電話機が普及し、携帯電話機を利用して電子メールを送受信したり、ネットワーク上に開設されたＷｅｂサイトなどから種々の情報を手軽に入手することができるようになった。携帯電話機は、一般に普及しているパーソナルコンピュータとは異なり、情報を表示するディスプレイが小さい上、記憶容量も小さく、大容量のデータを受信することができないため、ネットワーク上には、かかるディスプレイの大きさ等を考慮したＷｅｂページから構成される携帯電話機用のＷｅｂサイトが多数開設されている。
【０００３】
【発明が解決しようとする課題】
しかしながら、携帯電話機用のＷｅｂサイトにアクセスするためのＵＲＬ（Ｕｎｉｆｏｒｍ  Ｒｅｓｏｕｒｃｅ  Ｌｏｃａｔｏｒ）は、例えば先頭に「ｈｔｔｐ：／／ｗｗｗ．」と必ず付けなければならないなど、概して長く、入力しなければならない文字数が多いため、操作部における入力キーの数が少ない携帯電話機では、ある１つの文字を入力するために１つの入力キーを複数回押さなければならないこともあり、未入力の状態からＵＲＬを入力する操作に手間と時間が多く掛かるという問題があった。
【０００４】
こうした携帯電話機における入力操作の不便さなどを考慮して、従来、携帯電話機に内蔵されるテキストエディタには、ディスプレイに表示された文書の中からＵＲＬを自動検出する機能を持つものがあり、検出されたＵＲＬを選択する（例えば、そのＵＲＬにカーソルを合わせて、操作部の実行ボタンを押す）と、内蔵されたＷｅｂブラウザを起動し、該ＵＲＬに置かれた情報をディスプレイに表示させるものがある。しかし、このような機能は、ＵＲＬが既に入力された状態にあることを前提とするものであり、ＵＲＬが未入力の状態では、こうしたテキストエディタを内蔵するものであっても、やはり入力キーを操作してＵＲＬを入力しなければならない。
【０００５】
一方、日常の営業活動において、初対面の相手方に対し、名刺を渡して自己紹介をすることが一般に行われている。しかしながら、従来の名刺では、情報を表示できるスペースが限られていることもあり、精々自己の氏名、所属する会社名、連絡先などを相手方に伝達する道具として機能するだけで、相手方に自己又は所属する会社を印象付ける十分な個人情報や企業情報等を提供することができなかった。
【０００６】
また、近年、企業情報や商品情報などをＷｅｂページに掲載してインターネットを通じて配信することが行われており、名刺にもそれらの情報にアクセスするためのＵＲＬを表示することが行われている。しかしながら、従来の名刺では、単にＵＲＬを表示しただけであるため、実際にアクセスされることは少なく、名刺へのＵＲＬの表示効果は低いものであった。
【０００７】
また、名刺は、顧客情報をコンピュータを用いて管理すべく、データベース化するための情報源として活用されているが、名刺に表示された情報をコンピュータに入力するには人手を必要とし不便であった。
【０００８】
本発明は上記事情に鑑みなされたものであり、第１に携帯電話機を用いてＵＲＬに置かれた情報を取得することを容易にすること、第２に利用者の個人情報の取得を容易なものとして、人手を介さずに利用者の個人情報をデータベース化し得ること、第３に利用者の個人情報が蓄積されたデータベースを情報提供者が共有し得ることを実現できる情報送信システム及び情報送信方法を提供することを課題とする。また、本発明は、特に名刺に付加価値を与え、名刺の二次的利用を促すことにより、携帯電話機を利用した情報の提供を効果的なものとすることができる情報送信方法を提供することを課題とする。
【０００９】
【課題を解決するための手段】
上記課題を解決するため、請求項１に記載の本発明では、利用者の携帯電話機を利用して予め登録された情報を提供する情報送信システムであって、
前記携帯電話機から受信した電子メールの発信元メールアドレスを送信先として、前記情報のＵＲＬが書き込まれた電子メールを返信するＵＲＬ送信手段を具備することを特徴とする情報送信システムを提供する。
請求項２に記載の本発明では、前記ＵＲＬ送信手段により送信されたＵＲＬに基づく前記携帯電話機からのアクセスに対応して、前記携帯電話機に対し、利用者の個人情報の入力を促す情報を含む情報を送信する情報送信手段と、前記携帯電話機から受信した前記情報送信手段により送信された利用者の個人情報の入力を促す情報に従って入力された利用者の個人情報に基づいてデータベースを作成するデータベース作成手段とを具備することを特徴とする請求項１に記載の情報送信システムを提供する。
請求項３に記載の本発明では、前記情報送信手段により送信される利用者の個人情報の入力を促す情報が懸賞の応募フォームであることを特徴とする請求項２に記載の情報送信システムを提供する。
請求項４に記載の本発明では、前記情報の提供者の端末装置からの要求に応じて、該端末装置に対し、前記データベース作成手段により作成されたデータベース上のデータを送信するデータ送信手段を具備することを特徴とする請求項２又は３に記載の情報送信システムを提供する。
請求項５に記載の本発明では、利用者の携帯電話機を利用して予め登録された情報を提供する情報送信システムを用いた情報送信方法であって、
前記情報送信システムに対し、前記携帯電話機からアクセスするためのメールアドレスと、該メールアドレスを送信先に設定した電子メールを送信することにより応募フォームを含む情報のＵＲＬを取得できる、前記情報送信システムにアクセスを促すための懸賞情報とが表示された名刺を利用者に配布し、該利用者が携帯電話機を用いて前記メールアドレスを送信先に設定した電子メールを送信したならば、前記情報送信システムにより、前記携帯電話機から受信した電子メールの発信元メールアドレスを送信先として、前記情報のＵＲＬが書き込まれた電子メールを返信することを特徴とする情報送信方法を提供する。
請求項６に記載の本発明では、前記情報送信システムから送信されたＵＲＬに基づく前記携帯電話機からのアクセスに対応して、前記情報送信システムにより、前記携帯電話機に対し、懸賞の応募フォームを含む情報を送信して利用者の個人情報の入力を促すと共に、前記携帯電話機から前記情報送信システムに対して前記応募フォームに従って入力された利用者の個人情報が送信されたならば、前記情報送信システムにより、受信した利用者の個人情報に基づいてデータベースを作成することを特徴とする請求項５に記載の情報送信方法を提供する。
請求項７に記載の本発明では、前記情報送信システムは、前記情報の提供者の端末装置からの要求に応じて、該端末装置に対し、前記データベース上のデータを送信することを特徴とする請求項６に記載の情報送信方法を提供する。
【００１０】
（作用）
請求項１に記載の本発明によれば、携帯電話機から受信した電子メールの発信元メールアドレスを送信先として、予め登録された情報のＵＲＬが書き込まれた電子メールを返信するＵＲＬ送信手段を備えるため、携帯電話機を用いてＵＲＬに置かれた情報を取得することを容易なものとすることができる。すなわち、本発明に係る情報送信システムによれば、情報提供者から供給された情報を予め登録しておく。情報提供者から供給される情報は、例えば、その情報を掲載するＷｅｂページとして作成され、本システムを構成する記憶装置に記憶される。そして、インターネット等の通信網を介して接続された利用者の携帯電話機からの要求に応じて、つまり、本システムが携帯電話機から送信された特定のＵＲＬを受信することにより、前記記憶装置に記憶された当該ＵＲＬに対応する情報を利用者の携帯電話機に送信する。ここで、利用者が本システムに蓄積された情報を入手するために、携帯電話機を用いてＵＲＬを入力するのは、上述したように面倒な操作を伴うことになる。そこで、本発明によれば、利用者が携帯電話機を用いて、ＵＲＬと比較して、概して入力キーの操作が少なくて済むメールアドレスを入力し、その電子メールを本システムに送信すると、本システムの前記ＵＲＬ送信手段により、利用者の携帯電話機から受信した電子メールの発信元メールアドレスを送信先として、予め登録された情報のＵＲＬが書き込まれた電子メールを返信するため、利用者は、ＵＲＬが書き込まれた電子メールを利用者の携帯電話機で受信することができる。これにより利用者は、携帯電話機に装備されたＵＲＬの自動検出機能を持つテキストエディタを利用して、本システムから受信した電子メールの文書中に存するＵＲＬを選択するだけで、該ＵＲＬを入力しなくても本システムに蓄積された情報を容易に入手することが可能となる。
請求項２に記載の本発明によれば、さらに前記ＵＲＬ送信手段により送信されたＵＲＬに基づく前記携帯電話機からのアクセスに対応して、前記携帯電話機に対し、利用者の個人情報の入力を促す情報を含む情報を送信する情報送信手段と、前記携帯電話機から受信した前記情報送信手段により送信された利用者の個人情報の入力を促す情報に従って入力された利用者の個人情報に基づいてデータベースを作成するデータベース作成手段とを備えて構成されるため、前記情報送信手段により送信される利用者の個人情報の入力を促す情報により、利用者の個人情報を取得することが可能となる。また、前記データベース作成手段により、人手を必要とすることなく、取得した利用者の個人情報に基づいてデータベースを構築することが可能となる。
請求項３に記載の本発明によれば、前記情報送信手段により送信される利用者の個人情報の入力を促す情報が懸賞の応募フォームであるため、利用者の積極的な情報の入力が期待でき、個人情報の取得が容易なものとなる。
請求項４に記載の本発明によれば、さらに前記情報の提供者の端末装置からの要求に応じて、該端末装置に対し、前記データベース作成手段により作成されたデータベース上のデータを送信するデータ送信手段を備えるため、情報提供者が端末装置を用いて本システムにアクセスすることにより、利用者の情報が蓄積されたデータベースを情報提供者が共有することが可能となる。
請求項５に記載の本発明によれば、利用者の携帯電話機を利用して予め登録された情報を提供する情報送信システムに対し、利用者が携帯電話機を用いてアクセスするためのメールアドレスと、該メールアドレスを送信先に設定した電子メールを送信することにより応募フォームを含む情報のＵＲＬを取得できる、前記情報送信システムにアクセスを促すための懸賞情報とが表示された名刺を利用者に配布するため、その名刺に、単なる自己の氏名等の伝達媒体としての機能のみならず、名刺のみでは伝達することができない情報に接触する機会を提供するという付加価値を与え、名刺の二次的利用を促すことにより、携帯電話機を利用した情報の提供を効果的なものとすることが可能となる。そして、該利用者が携帯電話機を用いて前記メールアドレスを送信先に設定した電子メールを送信したならば、前記情報送信システムにより、前記携帯電話機から受信した電子メールの発信元メールアドレスを送信先として、前記情報のＵＲＬが書き込まれた電子メールを返信するため、利用者は、ＵＲＬが書き込まれた電子メールを利用者の携帯電話機で受信することが可能となり、これにより利用者は、携帯電話機に装備されたＵＲＬの自動検出機能を持つテキストエディタを利用して、本システムから受信した電子メールの文書中に存するＵＲＬを選択するだけで、該ＵＲＬを入力しなくても本システムに蓄積された情報を容易に入手することが可能となる。
請求項６に記載の本発明によれば、さらに前記情報送信システムから送信されたＵＲＬに基づく前記携帯電話機からのアクセスに対応して、前記情報送信システムにより、前記携帯電話機に対し、懸賞の応募フォームを含む情報を送信して利用者の個人情報の入力を促すため、利用者の積極的な情報の入力が期待でき、個人情報の取得が容易なものとなる。また、前記携帯電話機から前記情報送信システムに対して前記応募フォームに従って入力された利用者の個人情報が送信されたならば、前記情報送信システムにより、受信した利用者の個人情報に基づいてデータベースを作成するため、人手を必要としないで、データベースを構築することが可能となる。
請求項７に記載の本発明によれば、さらに前記情報送信システムは、前記情報の提供者の端末装置からの要求に応じて、該端末装置に対し、前記データベース上のデータを送信するため、情報提供者が端末装置を用いて本システムにアクセスすることにより、利用者の情報が蓄積されたデータベースを情報提供者が共有することが可能となる。
【００１１】
【発明の実施の形態】
以下、本発明の実施の形態を図面に基づいて更に詳しく説明する。
図１は、本発明の一の実施の形態に係る情報送信システムを用いた情報送信方法の一例を示す概念図である。この情報送信方法は、双方向に文字や画像等の電子データを送受信できるインターネットやインターネットに接続する公衆回線等の電気通信回線（以下「通信網」という。）にそれぞれ接続される情報送信システム１００、携帯電話機２００及び端末装置３００によって実現される。そして、携帯電話機２００と情報送信システム１００との間、及び端末装置３００と情報送信システム１００との間の情報（電子メールや電子データ等）のやりとりは、通信網を介して行われる。
【００１２】
また、この情報送信方法は、情報を提供する者（情報提供者）とその情報を提供される者（利用者）との間に介在する情報送信システム１００に利用者が携帯電話機２００を用いてアクセスする前提として、事前にアクセスの動機付けとなる名刺４００が情報提供者から利用者へ配布されることを特徴とする。
【００１３】
図２は名刺４００の一例を示す図であり、（ａ）は表面を（ｂ）は裏面をそれぞれ示したものである。この図に示したように、名刺４００としては、その表面及び／又は裏面に、利用者の携帯電話機２００から情報送信システム１００にアクセスするためのメールアドレス４１０と、そのアクセスを促すための懸賞情報４２０とが表示されたものを用いることが好ましい。懸賞情報４２０は、利用者からの応募により景品を提供することを内容とするものであり、名刺４００に表示されたメールアドレス４１０を送信先に設定した電子メールを送信することにより応募フォームを含む情報のＵＲＬを取得できる仕組みとなっている。
【００１４】
ここで、名刺４００に当初からＵＲＬを表示することもできる。しかし、携帯電話機２００を用いてＵＲＬを入力するのは、上述したように面倒な操作を伴うことになるため、ＵＲＬに比べて、概して入力キーの操作が少なくて済むメールアドレス４１０が採用されている。このような観点から、メールアドレス４１０としては、できる限り入力文字数の少ないものを採用することが望ましい。
【００１５】
また、名刺４００に上記の仕組みで景品を獲得できる懸賞情報４２０を表示することにより、懸賞情報４２０が利用者の動機付けとなって、情報送信システム１００に対するアクセスが促進される。また、名刺４００に、単なる自己の氏名等の伝達媒体としての機能のみならず、名刺４００のみでは伝達することができない情報（情報送信システム１００を通じて提供される情報）に接触する機会を提供するという付加価値を与えることができる。
【００１６】
図３は、本実施形態に係る情報送信システム１００の構成を示すブロック図である。この図に示したように、情報送信システム１００は、携帯電話機２００及び端末装置３００からの要求を処理すると共に、システム全体を制御する制御部１１０と、各種データを記憶する記憶装置１２０と、携帯電話機２００及び端末装置３００との通信を行う手段として機能する通信部１３０とを有して構成され、携帯電話機２００及び端末装置３００との間で通信を行うことにより本発明に係る情報送信方法を実現するための処理を実行するホストコンピュータ又はサーバとして機能するものである。
【００１７】
制御部１１０は、中央処理装置（ＣＰＵ）とメモリとを備える。また、記憶装置１２０には、プログラム記憶部１２１、提供情報記憶部１２２及び利用者情報記憶部１２３が格納されている。
【００１８】
プログラム記憶部１２１には、本実施形態において、ＵＲＬ送信手段として機能するＵＲＬ送信プログラム１２１ａ、情報送信手段として機能する情報送信プログラム１２１ｂ、データベース作成手段として機能するデータベース作成プログラム１２１ｃ、及びデータ送信手段として機能するデータ送信プログラム１２１ｄが記憶されている。これらのプログラム１２１ａ〜１２１ｄの処理手順については後述する。
【００１９】
そして、本実施形態に係る情報送信システム１００は、上記した各プログラム１２１ａ〜１２１ｄに従って制御部１１０がシステム全体を制御することにより、後述する所定の動作を行う。
【００２０】
提供情報記憶部１２２には、情報提供者から供給される情報が記録された提供情報ファイル１２２ａが記憶されている。提供情報ファイル１２２ａに記録される情報としては、例えば、情報提供者の趣味、特技、思想など、利用者との名刺交換の場や会議の場などでは、十分にアピールすることができない情報提供者自身の情報や、情報提供者が所属する会社や販売する商品の情報などが挙げられる。また、かかる情報には、利用者の個人情報の入力を促す情報が含まれていることが好ましく、さらに、その情報が、懸賞の応募フォームであることが好ましい。懸賞の応募フォームであれば、利用者に対して、自己の氏名等を入力することにさほど抵抗感を与えることがなく、個人情報の積極的な入力が期待できるからである。そして、情報提供者から供給された情報は、文字や画像、動画などを用いたＷｅｂページとして編集され提供情報記憶部１２２に記憶される。
【００２１】
提供情報ファイル１２２ａは、情報送信システム１００に予め登録されるが、その登録に際しては、情報提供者の端末装置３００から送信されたデータを提供情報記憶部１２２に記憶させても良いし、情報提供者から与えられた情報に基づき情報送信システム１００の管理者が作成した提供情報ファイル１２２ａを提供情報記憶部１２２に記憶させても良い。また、情報提供者が端末装置３００を用いて提供情報記憶部１２２に記憶された情報提供ファイル１２２ａを開いて、そのデータを編集・加工できるように構成することもできる。
【００２２】
提供情報記憶部１２２に記憶される個々の提供情報ファイル１２２ａには、識別のためにファイル名が付される。そして、このファイル名は、利用者の携帯電話機２００を用いて情報送信システム１００にアクセスする際に用いられるＵＲＬの一部を構成する。
【００２３】
提供情報記憶部１２２には、また、情報提供者が配布する名刺４００に表示されるメールアドレス４１０と、該情報提供者から供給され、予め登録された情報である提供情報ファイル１２２ａのＵＲＬとの対応関係を記録したＵＲＬ管理テーブル１２２ｂが記憶されている。
【００２４】
利用者情報記憶部１２３には、データベース作成プログラム１２１ｃに従って作成されるデータベース（利用者情報データベース）１２３ａが記憶される。この利用者情報データベース１２３ａは、利用者の携帯電話機２００から受信した利用者の個人情報に基づいてテーブル形式で作成される。そして、利用者情報データベース１２３ａには、利用者の携帯電話機２００から受信した利用者の個人情報から抜き出された利用者の氏名、住所、所属する会社名、メールアドレス等が蓄積される。
【００２５】
利用者の携帯電話機２００としては、通信網に接続可能な通信環境を備えると共に、電子メールの送受信機能、ＵＲＬの自動検出機能を持つテキストエディタ、及びＷｅｂページを閲覧できるＷｅｂブラウザなどを内蔵したものが用いられる。
【００２６】
情報提供者の端末装置３００としては、同じく通信網に接続可能な通信環境を備えたパーソナルコンピュータ等が用いられる。そして、端末装置３００は、情報送信システム１００に対して、情報提供者と情報送信システム１００の管理者との間で定めた所定の範囲内において、自由にアクセスできるように予め設定されている。
【００２７】
次に、本実施形態に係る情報送信システム１００の動作について説明する。
最初に、情報送信システム１００を用いた情報送信方法によれば、まず、利用者に対して、情報提供者から名刺４００が配布される。利用者が、名刺４００に表示された懸賞情報４２０に従って、懸賞の応募フォームを取得するため、携帯電話機２００を用いて、上記名刺４００に表示されたメールアドレス４１０を送信先として設定した電子メールを送信したならば、情報送信システム１００の動作が開始される。
【００２８】
情報送信システム１００は、利用者の携帯電話機２００から送信された電子メールを受信すると、ＵＲＬ送信プログラム１２１ａに従って情報提供者から供給された情報のＵＲＬが書き込まれた電子メールを当該携帯電話機２００に返信する。
【００２９】
すなわち、情報送信システム１００は、ＵＲＬ送信プログラム１２１ａの実行により、図４に示したように、常時、携帯電話機２００から送信される電子メールを受信したか否かを監視しており（ステップ（Ｓ）１０）、電子メールを受信したならば、提供情報記憶部１２２に記憶されたＵＲＬ管理テーブル１２２ｂを参照して、その電子メールの送信先メールアドレス（名刺４００に表示されたメールアドレス４１０）に対応するＵＲＬを読み出す（Ｓ１１）。次に、返信用電子メールの本文中に読み出したＵＲＬの書き込みをすると共に（Ｓ１２）、該返信用電子メールの送信先として、携帯電話機２００から受信した電子メールの発信元メールアドレスを設定し（Ｓ１３）、該返信用電子メールを送信（返信）する（Ｓ１４）。これにより利用者の携帯電話機２００は、ＵＲＬが書き込まれた電子メールを受信することができる。
【００３０】
情報送信システム１００からの電子メールを受信した携帯電話機２００は、ＵＲＬの自動検出機能を持つテキストエディタを装備しているので、利用者は、その電子メールを開封し、その電子メールの本文中に存するＵＲＬを選択する（例えば、そのＵＲＬにカーソルを合わせて、操作部の実行ボタンを押す）だけで、該ＵＲＬを操作部の入力キーを用いて入力しなくても送信することができる。そして、携帯電話機２００は、ＵＲＬの送信後、Ｗｅｂブラウザを起動させて情報送信システム１００からの情報の着信を待つ。
【００３１】
情報送信システム１００は、携帯電話機２００から送信されたＵＲＬを受信すると、情報送信プログラム１２１ｂに従って情報提供者から供給された情報（利用者の個人情報の入力を促す情報を含む。）を当該携帯電話機２００に送信する。
【００３２】
すなわち、情報送信システム１００は、情報送信プログラム１２１ｂの実行により、図５に示したように、常時、携帯電話機２００から送信されるＵＲＬを受信したか否かを監視しており（Ｓ２０）、ＵＲＬを受信したならば、該ＵＲＬに基づき提供情報記憶部１２２にアクセスして、当該ＵＲＬに対応する提供情報ファイル１２２ａを読み出し（Ｓ２１）、該提供情報ファイル１２２ａを利用者の携帯電話機２００に送信する（Ｓ２２）。これにより利用者の携帯電話機２００は、情報提供ファイル１２２ａを受信し、利用者は、携帯電話機２００のディスプレイ上で情報提供ファイル１２２ａに記録されたＷｅｂページ、すなわち、情報提供者から供給された情報の内容を閲覧することができる。
【００３３】
ここで、情報送信システム１００から送信される提供情報ファイル１２２ａには、利用者の個人情報の入力を促す情報が含まれるが、この情報は、例えば、図６に示したような懸賞の応募フォームとして機能するＷｅｂページから構成され、利用者に提供される。このＷｅｂページには、利用者の氏名、住所、所属する会社名、電話番号、メールアドレス等の個人情報の入力欄が設けられており、利用者が携帯電話機２００を用いてこれらの未入力欄にデータを入力して送信操作を行うことにより、懸賞に応募できるようになっている。
【００３４】
利用者が携帯電話機２００を用いて懸賞に応募したならば、すなわち、その応募フォームに従って入力された利用者の個人情報が送信されたならば、情報送信システム１００は、それを受信し、データベース作成プログラム１２１ｃに従って利用者の個人情報を蓄積するデータベースを作成する。
【００３５】
すなわち、情報送信システム１００は、データベース作成プログラム１２１ｃの実行により、図７に示したように、常時、携帯電話機２００から送信される利用者の個人情報を受信したか否かを監視しており（Ｓ３０）、利用者の個人情報を受信したならば、該利用者の個人情報に基づき利用者情報データベース１２３ａを作成して（Ｓ３１）、これを利用者情報記憶部１２３に記憶させる（Ｓ３２）。これにより利用者が携帯電話機２００を用いて入力した利用者の氏名等の個人情報が、情報送信システム１００の管理者ないし情報提供者等の人手を介さずに利用者情報データベース１２３ａに記録され、情報送信システム１００に登録される。
【００３６】
なお、懸賞に関する処理については、懸賞に関する処理を実行するためのプログラムを設け、そのプログラムに従って処理を実行する。例えば、そのプログラムを、抽選ではなく、応募者全員を当選させるように設定しておけば、情報提供者が当選した利用者に景品を手渡すために、名刺４００を配布した利用者全員に再度のアポイントをとることも可能となる。
【００３７】
また、情報送信システム１００によれば、利用者情報記憶部１２３に記憶された利用者情報データベース１２３ａを情報提供者の端末装置３００と共有することができる。
【００３８】
すなわち、情報送信システム１００は、例えば、情報提供者の端末装置３００から利用者情報データベース１２３ａの閲覧要求があれば、その要求に対応して、データ送信プログラム１２１ｄの実行により、利用者情報データベース１２３ａ上のデータを端末装置３００に対して送信する。より詳細には、情報送信システム１００は、データ送信プログラム１２１ｄの実行により、図８に示したように、常時、端末装置３００からの要求を受信したか否かを監視しており（Ｓ４０）、端末装置３００からの要求を受信したならば、その要求に基づき利用者情報記憶部１２３にアクセスして、当該要求に対応する利用者情報データベース１２３ａを読み出し（Ｓ４１）、該利用者情報データベース１２３ａ上のデータ（利用者の個人情報等）を情報提供者の端末装置３００に送信する（Ｓ４２）。これにより情報提供者は、端末装置３００のディスプレイ上で利用者の個人情報等を閲覧することが可能となる。
【００３９】
【発明の効果】
以上説明したように、本発明に係る情報送信システム及び情報送信方法によれば、携帯電話機から受信した電子メールの発信元メールアドレスを送信先として、予め登録された情報のＵＲＬが書き込まれた電子メールを返信するため、携帯電話機を用いてＵＲＬに置かれた情報を容易に取得することが可能となる。
【００４０】
また、ＵＲＬに基づく携帯電話機からのアクセスに対応して、該携帯電話機に対し、利用者の個人情報の入力を促す情報を含む情報を送信して利用者の個人情報の入力を促すため、利用者の個人情報の取得が容易となり、かつ取得した利用者の個人情報に基づいてデータベースを作成するため、人手を必要としないで、利用者の個人情報を蓄積したデータベースを構築することが可能となる。
【００４１】
また、情報提供者の端末装置からの要求に応じて、該端末装置に対し、利用者の個人情報が蓄積されたデータベース上のデータを送信することができるため、そのデータベースを情報提供者が共有することが可能となる。
【００４２】
さらに、本発明に係る情報送信方法によれば、情報送信システムに対し、携帯電話機からアクセスするためのメールアドレスと、アクセスを促すための懸賞情報とが表示された名刺を利用者に配布するため、その名刺に付加価値を与えることができ、名刺の二次的利用を促すことにより、携帯電話機を利用した情報の提供をより効果的なものとすることが可能となる。
【図面の簡単な説明】
【図１】図１は、本発明の一の実施の形態に係る情報送信システムを用いた情報送信方法の一例を示す概念図である。
【図２】図２は、本発明に係る情報送信方法で用いられる名刺の一例を示す図であり、（ａ）は表面を（ｂ）は裏面をそれぞれ示したものである。
【図３】図３は、上記実施形態に係る情報送信システムの構成を示すブロック図である。
【図４】図４は、ＵＲＬ送信手段として機能するＵＲＬ送信プログラムの指令に基づく情報送信システムの動作の一例を説明するためのフローチャートである。
【図５】図５は、情報送信手段として機能する情報送信プログラムの指令に基づく情報送信システムの動作の一例を説明するためのフローチャートである。
【図６】図６は、利用者の個人情報の入力を促す情報として利用者の携帯電話機に送信されるＷｅｂページの一例を示す図である。
【図７】図７は、データベース作成手段として機能するデータベース作成プログラムの指令に基づく情報送信システムの動作の一例を説明するためのフローチャートである。
【図８】図８は、データ送信手段として機能するデータ送信プログラムの指令に基づく情報送信システムの動作の一例を説明するためのフローチャートである。
【符号の説明】
１００  情報送信システム
１１０  制御部
１２０  記憶装置
１２１  プログラム記憶部
１２１ａ  ＵＲＬ送信プログラム
１２１ｂ  情報送信プログラム
１２１ｃ  データベース作成プログラム
１２１ｄ  データ送信プログラム
１２２  提供情報記憶部
１２２ａ  提供情報ファイル
１２２ｂ  ＵＲＬ管理テーブル
１２３  利用者情報記憶部
１２３ａ  利用者情報データベース
１３０  通信部
２００  携帯電話機
３００  端末装置
４００  名刺
【図１】
2004310453.tif 000003
【図２】
2004310453.tif 000004
【図３】
2004310453.tif 000005
【図４】
2004310453.tif 000006
【図５】
2004310453.tif 000007
【図６】
2004310453.tif 000008
【図７】
2004310453.tif 000009
【図８】
2004310453.tif 000010